(57)【要約】  【課題】  ヘルメットの装着時でも携帯電話による通話を可能とする、廉価で装着感に優れたヘルメット用携帯電話ハンズフリーセットを提供する。  【解決手段】  裏面に係合シート２を有する薄型スピーカー１、通話用マイク３、スイッチ４、及びプラグ５から成り、これらが互いにコード６によって接続されている本体部を携帯電話２０に接続することにより通話を行う。係合シート２よりも大きいヘルメット側係合シート７をヘルメット１０内部の耳の付近に貼り付け、このヘルメット側係合シート７に対して係合シート２によって薄型スピーカー１を着脱自在に取り付けることにより、使用感に優れているうえ、使用者の耳の位置にスピーカー１を確実に配置することができる。【選択図】  図２
0003106503.tif 000002
【実用新案登録請求の範囲】
【請求項１】
ヘルメットの装着時に携帯電話の通話を行うためのハンズフリーセットであって、
裏面に係合シートを有する薄型スピーカーと、
通話用マイクと、
接続プラグが
コードによって接続された本体部、及び
ヘルメット側係合シート
から成ることを特徴とする
ヘルメット用携帯電話ハンズフリーセット。
【請求項２】
ヘルメットの装着時に携帯電話の通話を行うためのハンズフリーセットであって、
裏面に係合シートを有する薄型スピーカーと、
通話用マイクと、
通話開始スイッチと、
接続プラグが
コードによって接続された本体部、及び、
ヘルメット側係合シート
から成ることを特徴とする
ヘルメット用携帯電話ハンズフリーセット。
【請求項３】
ヘルメットの内側に設けられた係合シートに貼り付けられるための係合シートを裏面に有する薄型スピーカーと、
通話用マイクと、
接続プラグが
コードによって接続されている
ことを特徴とするヘルメット用携帯電話ハンズフリーセット。
【請求項４】
ヘルメットの内側に設けられた係合シートに貼り付けられるための係合シートを裏面に有する薄型スピーカーと、
通話用マイクと、
通話開始スイッチと、
接続プラグが
コードによって接続されている
ことを特徴とするヘルメット用携帯電話ハンズフリーセット。
【考案の詳細な説明】
【技術分野】
【０００１】
本考案は、ヘルメットを着用した状態で携帯電話の通話を可能とする、ヘルメット用携帯電話ハンズフリーセットに関する。
【背景技術】
【０００２】
現在、携帯電話は日常生活の様々な場面で使用されている。携帯電話はいつでもどこでも離れた場所にいる他人と会話をすることができるため、極めて便利であるが、使用する状況を誤ると、周囲に迷惑を及ぼすだけでなく、危険を招いてしまうことがある。とりわけ、車の運転中の携帯電話の使用は、道路交通法で罰則の対象とされているように、運転の安全性を著しく低下させる。それは、通話を行う時には、片手で携帯電話を保持しつつ、残された片方の手だけで運転操作をしなければならず、また、携帯電話の画面に注目すれば視線が前方から逸れてしまうためである。そこでこれまでに、乗り物を運転しながらでも、安全に携帯電話の通話を行うことを目的とする、スピーカー（イヤホン）、マイク等から構成される携帯電話用ハンズフリーセットが考案されており、普及している。
【０００３】
しかし、二輪車を運転する時にはヘルメットを装着するため、通常は携帯電話による通話を行うことができない。そこで、二輪車を運転している時でも携帯電話の通話を可能とするための、ヘルメット装着型のハンズフリーセットが開示されてきた。例えば特許文献１には、ヘルメットの内側に設置され、ヘルメット装着中に携帯電話の通話を可能にする、スピーカーやマイク等から成るハンズフリー装置が記載されている。ところが、本来ヘルメットは、衝撃時の安全を確保する目的で、頭部に対する密着性が高くなるように形成されているため、特許文献１に示されているように、スピーカー等をヘルメットの内側に装着すると、圧迫感が増し、装着感が悪いという問題があった。
【０００４】
そこで、特許文献２に開示されているような、ヘルメットの内側にスピーカーやマイク等が一体成型されているものが考案されてきた。しかし、この場合には、使用者が新たにヘルメットを購入しなければならないため、ハンズフリーセットを後付けするものと比較すると、購入費用が掛かりすぎるという難点がある。また、二輪運転者は、日頃使用しているヘルメットに対して愛着を持っている場合も少なくないため、装着感やデザインが異なるヘルメットを新しく購入することに抵抗を覚える可能性がある。
【特許文献１】特開平１０−１９１４３３号公報
【特許文献２】特開２０００−３５５８２１号公報
【考案の開示】
【考案が解決しようとする課題】
【０００５】
上記のような問題点に加え、従来のヘルメット用ハンズフリーセットには、スピーカーの位置と使用者の耳の位置が合わないという問題があった。従来のものはいずれも、スピーカーがヘルメット内部の特定の位置に設置されるが、耳の位置には個人差があるためである。
【０００６】
そこで、本考案のヘルメット用ハンズフリーセットが解決しようとする課題は、あらゆるヘルメットに対して後付けすることができる、装着感に優れたヘルメット用携帯電話ハンズフリーセットを提供することである。
【０００７】
なお、本考案では、首から上の頭部全体を覆うヘルメットをフルフェイス型ヘルメット、頭の上部と耳を含む後頭部を覆うヘルメットをジェット型ヘルメットと呼ぶ。
【課題を解決するための手段】
【０００８】
上記課題を解決するために成された本考案に係るヘルメット用携帯電話ハンズフリーセットは、裏面に係合シートを有する薄型スピーカーと、通話用マイクと、接続プラグがコードによって接続された本体部、及び、ヘルメット側係合シートから成ることを特徴とする。
【０００９】
ここで、本体部に通話開始スイッチを設けることもできる。このスイッチを手元に配置しておけば、着信時や発信時に携帯電話本体を逐一取り出して操作する必要がなくなる。
【考案の効果】
【００１０】
本考案のヘルメット用携帯電話ハンズフリーセットによれば、着脱自在な係合シートを介して、薄型スピーカーをヘルメット内側の最適な位置に設置することができるため、現在使用中のヘルメットを含め、あらゆるヘルメットに後付けで装着することができるうえ、優れた装着感を得ることができる。従って、このヘルメットを使用することにより、二輪車を運転しながら、安全、快適に携帯電話の通話を行うことができる。
【考案を実施するための最良の形態】
【００１１】
まず、本考案に係るヘルメット用携帯電話ハンズフリーセットの構成に関し、図１に基づき説明する。本考案は、本体部及びヘルメット側係合シート７から構成される。本体部は、裏面に係合シート２（図示せず）を有する薄型スピーカー１、通話用マイク３、及び携帯電話に接続するためのプラグ５から成り、これらが互いに１本のコード６によって繋がれている。また、本考案のハンズフリーセットにおいて、本体部の各部または一部を無線によって接続する機構を採用することもできる。この場合には、コード６で各部を接続する必要が無くなる。
【００１２】
薄型スピーカー１は、ヘルメットの内側に取り付けられた状態で使用者がヘルメットを装着しても、圧迫感を感じない程度の薄さに形成されており、その裏面には係合シート２が、接着剤等によって固定されている。この係合シート２は、ヘルメット側係合シート７と対になっていて、互いを押し付け合うことにより、着脱自在に係合することが可能である。
【００１３】
ヘルメット側係合シート７は、その裏面をヘルメットの内側の、使用者の耳が位置する箇所に接着剤等によって接着固定する。このヘルメット係合シート７に対して係合シート２を、即ちスピーカー１を取り付けるため、ヘルメット側係合シート７は係合シート２よりも大きく形成される。こうすれば、ヘルメットの内側におけるスピーカー１の取付可能面積を広くすることができる。
【００１４】
また、ヘルメットによっては、使用者の耳が当たる部分に窪みが設けられていることがある。この場合、ヘルメット側係合シート７をその窪みの底から浮かせて張るように設置すれば、この部分にスピーカー１が設置された時に弾性を持ってその窪みに沈むので、ヘルメット装着時にクッション性があり、装着感が良い。また、スピーカー１にクッション性を更に付与したい場合には、スピーカー１の裏面と係合シート２との間にスポンジ等の弾性物質を挟むこともできる。
【００１５】
通話用マイク３は、使用者の口の付近の、声の集音が可能な位置に設置する。この通話用マイク３として骨伝導マイクを使用すれば、通話用マイク３を口の付近に固定する必要がなくなる。または、スピーカーとマイクが一体化した骨伝導マイクを使用することもできる。この場合には、通話用マイク３自体を配置する必要がなくなる。
【００１６】
通話を開始または終了する場合は、携帯電話２０の通話開始ボタンまたは通話終了ボタンを押す。また、本体部が通話開始スイッチ４を有していれば、このスイッチ４を操作しやすいように使用者の手元に配置する。そして、携帯電話２０に着信があった時にスイッチ４を押せば、通話開始となり会話をすることができ、会話が終了した時に再びこのスイッチ４を押せば、通話が終了する。携帯電話が音声認識機能を有しているときは、このスイッチ４に発信機能を持たせることもできる。この場合、使用者は、通話を開始する時にこの通話開始スイッチ４を押し、通話用マイク３を通して、電話をかける先を声で特定する。
【実施例１】
【００１７】
本考案に係るハンズフリーセットをフルフェイス型ヘルメットに適用した場合の実施例を、図２を用いて説明する。本実施例では、係合シート２、７としてマジックテープ（登録商標）等の面ファスナーを使用する。薄型スピーカー１の裏面に配置される係合シート２は面ファスナーのフック面とし、一方のヘルメット１０の内側に設置されるヘルメット側係合シート７は、直接肌に触れるため、フック面よりも肌触りが柔軟なループ面とする。ヘルメット側係合シート７をヘルメット１０の内側の、おおよそ耳に対応する位置に貼り付ける。
【００１８】
次に、係合シート２を裏面に備えたスピーカー１を、ヘルメット側係合シート７に対して押し当てれば両シート２、７が係合するので、ヘルメット１０内でスピーカー１の位置が固定される。そして、着用感が良くなるように、使用者の耳の位置に合わせてスピーカー１の位置や向き等を設定する。そして、通話用マイク３をヘルメット１０の口の窪みの部分に貼り付けて設置し、プラグ５を携帯電話２０に接続することにより、本考案のヘルメット用携帯電話ハンズフリーセットが使用可能となる。
【実施例２】
【００１９】
本考案に係るハンズフリーセットをジェット型ヘルメットに適用した場合について、図３を用いて説明する。ジェット型ヘルメットには、顔面を覆う部分が存在しないので、先端に通話用マイク３が設置された剛性棒８をヘルメット１０に取り付け、この通話用マイク３が使用者の口の前方付近に位置するように調節する。そして、その他の部品は上記実施例１のフルフェイス型ヘルメットの場合と同様に設置することにより、本考案のヘルメット用携帯電話ハンズフリーセットが使用可能となる。
【００２０】
なお、本考案は二輪車用に限られず、耳の部分に覆いを有するヘルメットであれば、いかなる目的で使用されるヘルメットにも適用可能であることは言うまでもない。
【図面の簡単な説明】
【００２１】
【図１】本考案のヘルメット用携帯電話ハンズフリーセットの構成図
【図２】フルフェイス型ヘルメットに本考案のハンズフリーセットを取り付けた状態の側面図
【図３】ジェット型ヘルメットに本考案のハンズフリーセットを取り付けた状態の側面図
【符号の説明】
【００２２】
１…スピーカー
２…係合シート
３…通話用マイク
４…スイッチ
５…プラグ
６…コード
７…ヘルメット側係合シート
８…剛性棒
１０…ヘルメット
２０…携帯電話
【図１】
0003106503.tif 000003
【図２】
0003106503.tif 000004
【図３】
0003106503.tif 000005